(57)【要約】【課題】ヘルメット等に対しての着脱をシンプルに行なうことができる後頭部冷却具を提供する。【解決手段】冷却具本体１と、冷却具本体１をヘルメットないし帽子の後側で横方向に延出する横帯に着脱可能に装着するための装着部２と、を備えた後頭部冷却具において、装着部２は、高さ方向に平行状に延出する２本の帯状片３と、横方向に延出する１本の横片４と、からなり、帯状片３の下半部３０は冷却具本体１に固着されており、帯状片３の上半部３１は冷却具本体１の上縁１Aから平行状に延出しており、２本の帯状片３の面部には上半部、下半部に亘って面ファスナーが形成されており、横片４は、２本の帯状片３の上半部３１の上端同士を連結して２本の帯状片３の上半部３１を一体化してなる。【選択図】図１
2010261121.tif 000002
【特許請求の範囲】
【請求項１】
高さ方向及び横方向に延出する冷却具本体と、当該冷却具本体をヘルメットないし帽子の後側で横方向に延出する横帯に着脱可能に装着するための装着部と、を備えた後頭部冷却具において、
前記装着部は、前記冷却具本体の上縁から高さ方向に延出する複数の帯状片と、前記複数の帯状片の先端側同士を連結してこれらの帯状片を一体化する横片と、からなり、
前記冷却具は、前記横片によって一体化されている前記複数の帯状片を前記横帯に掛け回し、折り返した複数の帯状片の先端側を、折り返された装着部における横片の延出方向を目印として、前記冷却具本体の表面あるいは前記冷却具本体の表面に固着されている前記帯状片の基端側部位に着脱可能に装着するように構成されている、
冷却具。
【請求項２】
高さ方向及び横方向に延出する冷却具本体と、当該冷却具本体をヘルメットないし帽子の後側で横方向に延出する横帯に着脱可能に装着するための装着部と、を備えた後頭部冷却具において、
前記装着部は、高さ方向に平行状に延出する２本の帯状片と、横方向に延出する１本の横片と、からなり、
前記帯状片の下半部は前記冷却具本体に固着されており、前記帯状片の上半部は前記冷却具本体の上縁から平行状に延出しており、前記２本の帯状片の面部には上半部、下半部に亘って面ファスナーが形成されており、
前記横片は、前記２本の帯状片の上半部の上端同士を連結して２本の帯状片の上半部を一体化してなり、
前記冷却具は、前記横片によって一体化されている前記２本の帯状片の上半部を前記横帯に掛け回し、折り返した２本の帯状片の上半部を、折り返された装着部における横片の延出方向を目印として、前記帯状片の下半部に前記面ファスナーによって着脱可能に装着するように構成されている、
冷却具。
【請求項３】
前記冷却具本体は、
横方向に並設された複数の収納部と、
各収納部に挿脱自在に設けた保冷剤が充填された複数のパックと、
を備えている、
請求項１、２いずれか１項に記載の冷却具。
【発明の詳細な説明】
【技術分野】
【０００１】
本発明は、身体冷却具に係り、詳しくは、ヘルメットや帽子を着用した作業者の後頭部や首部を冷却する後頭部冷却具に関するものである。
【背景技術】
【０００２】
ヘルメットや帽子を着用した作業者の後頭部や首部を冷却する後頭部冷却具は従来から存在する。
【０００３】
特許文献１には、人体の後頭部及びその周囲を覆うように形成された冷却具本体と、冷却具本体内に設けられたシート状の吸水性部材と、ヘルメット等の頭部装着物の後端側に取付けるための取付部とを備え、吸水性部材に水を吸水させて使用する人体用頭部冷却具が開示されている。
特許文献１の目的は、吸水性部材の水分を長時間に亘って保持させるとともに、冷却具本体の全体で均一に冷却することのできる冷却具を提供することにあり、具体的な構成として、前記冷却具本体の表面側を光反射性の部材によって形成するとともに、冷却具本体の裏面側を通水性の部材によって形成し、冷却具本体の上下方向略中央よりも上方には下方よりも吸水量の多い吸水性部材を配置している。
【０００４】
非特許文献１には、夏期など気温が高いときや日差しの強い太陽の熱線から、ヘルメットを着用した作業者の後頭部を保護する頭部冷却具が開示されている。
非特許文献１の物品の説明には、「頭部冷却具は、プラスチック等のシートからなる蓋付き袋内に低温の冷却パッドを交換可能で収容するとともに、上記袋の太陽光線を受ける外側部分に熱線を遮断する遮蔽部を設け冷却パッドの熱線による温度上昇を極力防止するものであり、また上記袋の頭側の内側部には、本物品をヘルメットのハンモックに係合するため止帯を設けて止め帯をハンモックに係合させることで、作業者がヘルメットを着用したとき本物品の冷却パッドが作業者の後頭部に接して後頭部を冷やすとともに、熱線を遮断し後頭部の保護をさせるものである。ヘルメットに設置した冷却パッドが長時間の使用により温度が上昇して冷却機能が低下すると、上記袋の蓋を開け袋内からパッドを取り出して、別途に用意した新しい低温のパッドと入れ換え蓋をすることで、引き続いて後頭部の冷却を可能にする。本物品の止帯は、上記袋の内側に袋の上下方向に設けた帯状の面ファスナーからなっており、ヘルメットへの装着には、ヘルメットのハンモックの後部において横帯に面ファスナーを巻き付け、その端部分を係合することでヘルメットに装着をするものである。また、止帯は面ファスナーからなっているためにハンモックへの係着の度合いは無段階の取り付け位置の調節を可能にしているとともに、係合も強固でファスナーの係合部分で係合が不意に外れるようなことが少ない。さらに、本物品は、その下縁が突弧状になっているため、ヘルメットに装着して使用する場合に、作業者が首を左右に傾ける動作をするときに、袋の下縁が首曲げを妨げず円滑に首を傾けることを容易するものである。」と記載されている。
【０００５】
上述のような後頭部冷却具の主な用途としては、工事現場におけるヘルメットへの着用が挙げられるが、ヘルメットの横帯に頭部冷却具を装着する際に、上記取付部、上記止帯を均一に折り曲げることは煩わしく、着脱に時間も掛かり、作業者にとってストレスと成り得る。
特許文献１、非特許文献１には、ヘルメットに対する冷却具の着脱作業の煩わしさを軽減するという視点はない。
【特許文献１】特開２０００−２３７０８９
【非特許文献１】意匠登録第１２９８０１３号
【発明の概要】
【発明が解決しようとする課題】
【０００６】
本発明は、ヘルメット等に対しての着脱をシンプルに行なうことができる後頭部冷却具を提供することを目的とするものである。
【課題を解決するための手段】
【０００７】
本発明が採用した技術手段は、
高さ方向及び横方向に延出する冷却具本体と、当該冷却具本体をヘルメットないし帽子の後側で横方向に延出する横帯に着脱可能に装着するための装着部と、を備えた後頭部冷却具において、
前記装着部は、前記冷却具本体の上縁から高さ方向に延出する複数の帯状片と、前記複数の帯状片の先端側同士を連結してこれらの帯状片を一体化する横片と、からなり、
前記冷却具は、前記横片によって一体化されている前記複数の帯状片を前記横帯に掛け回し、折り返した複数の帯状片の先端側を、折り返された装着部における横片の延出方向を目印として、前記冷却具本体の表面あるいは前記冷却具本体の表面に固着されている前記帯状片の基端側部位に着脱可能に装着するように構成されている、
冷却具、である。
【０００８】
１つの態様では、前記帯状片の面部には面ファスナーが形成されており、折り返された帯状片は面ファスナーによって着脱可能に装着される。
１つの態様では、前記装着部は、平行状に延出する２本の帯状片と、前記２本の帯状片の先端を連結する横片と、からなる。
すなわち、本発明の１つの態様では、
前記装着部は、高さ方向に平行状に延出する２本の帯状片と、横方向に延出する１本の横片と、からなり、
前記帯状片の下半部は前記冷却具本体に固着されており、前記帯状片の上半部は前記冷却具本体の上縁から平行状に延出しており、前記２本の帯状片の面部には上半部、下半部に亘って面ファスナーが形成されており、
前記横片は、前記２本の帯状片の上半部の上端同士を連結して２本の帯状片の上半部を一体化してなり、
前記冷却具は、前記横片によって一体化されている前記２本の帯状片の上半部を前記横帯に掛け回し、折り返した２本の帯状片の上半部を、折り返された装着部における横片の延出方向を目印として、前記帯状片の下半部に前記面ファスナーによって着脱可能に装着するように構成されている。
【０００９】
１つの態様では、
前記冷却具本体は、
横方向に並設された複数の収納部と、
各収納部に挿脱自在に設けた保冷剤が充填された複数のパックと、
を備えている。
１つの態様では、
前記パックは、吸水性ポリマーが充填されており、前記パックは使用時には吸水して膨張した状態で前記収納部に設けられる。好ましくは、前記吸水した状態のパックは、冷蔵ないし冷凍後に前記収納部に設けられる。この保冷パックは、吸水性ポリマーに吸水された水分が気化する際の吸熱作用（気化熱）を主として利用するものであり、このような保冷パック自体は公知である。また、保冷パックに充填される保冷剤は、吸水性ポリマーに限定されるものではなく、他の保冷剤、冷却剤でもよい。
冷却具本体は、冷却機能を有していればその構成は限定されず、例えば、単に吸水させた布でもよい。
【発明の効果】
【００１０】
本発明によれば、前記複数の帯状片の各帯状片は、これらを連結する横片によって一体化されており、前記複数の帯状片の各帯状片の姿態・動きがこれらを連結する横片によって互いに拘束されており、いずれかの帯状片を折り曲げたり、折り曲げ状態から伸ばしたりする時には、他の帯状片も横片を介して追従して動く。
したがって、複数の帯状片の折り返し（取り付け時）、折り返し状態からの伸ばし（取り外し時）をワンタッチで行なうことができる。
また、装着状態においては、１つの帯状片がずれようとしても、他の帯状片によって移動が拘束されるので、ずれ難いという効果もある。
【００１１】
複数の帯状片を折り返した状態での横片の延出方向を目印として、折り返された複数の帯状片をなるべく均一にバランスよく装着（係着）することができる。
例えば、折り返された時に横片の延出方向が帯状片の長さ方向（延出方向）に直交するように折り返すことで、複数の帯状片をなるべく均一にバランスよく装着することができる。
【００１２】
前記冷却具本体を、横方向に並設された複数の収納部と、各収納部に挿脱自在に設けた保冷剤が充填された複数のパックと、から構成することで、後頭部冷却具の装着時に、冷却具本体が装着者の後頭部のカーブに沿って湾曲することができる。特に保冷剤が吸水ポリマーを含むような場合には、保冷パックがごつごつした感じに膨らむので、装着者にフィット感を与えることができる。
【図面の簡単な説明】
【００１３】
【図１】後頭部冷却具の正面図である。
【図２】後頭部冷却具の背面図である。
【図３】図２と類似の図であるが、内部構造を示している。
【図４】後頭部冷却具をヘルメットに装着した状態を示す図である。
【図５】後頭部冷却具を帽子に装着した状態を示す図である。
【図６】装着時における装着者の後頭部と冷却具本体との関係を示す平面図である。
【発明を実施するための形態】
【００１４】
本発明の実施形態を図面に基づいて説明する。図１は後頭部冷却具の正面図、図２は同背面図であり、後頭部冷却具は、冷却具本体１と、冷却具本体１をヘルメットないし帽子の後側で横方向に延出する横帯に着脱可能に装着するための装着部２と、を備えている。
【００１５】
冷却具本体１は、後頭部冷却具をヘルメット等に装着した時に、装着者の後頭部に適切に接触ないし近接するような所定の高さ寸法及び横幅を備えており、図示の態様では、正面視方形状（やや横長）である。冷却具本体１の上縁１Aと下縁１Bは平行しており、左右の側縁１C，１Dは平行し、かつ、上縁１A、下縁１Bと直交している。
【００１６】
冷却具本体１の一方の面部１０は装着時に装着者の後頭部に対向する内側面部であり、他方の面部１１は装着者の後頭部とは反対側に位置する外側面部である。面部１１は屋外での使用時には直射日光が当たる側であり、遮熱効果を奏するように面部１１にはアルミ蒸着等の生地を使用する。面部１０の生地の種類は限定されず、例えば、木綿生地、タオル生地、メッシュ生地を含む繊維材から形成される。
【００１７】
冷却具本体１には、横方向に並設された３つの収納部１２が形成されており、各収納部１２には、吸水性ポリマーを充填した保冷パックを出し入れするための開口部が形成されており、収納部１２には保冷パックが挿脱自在に設けてある。より具体的には、冷却具本体１は、面部１０を形成する布と、面部１１を形成する布と、面部１１の裏面に位置するメッシュ（図示せず）とを重ね合わせ、これらの側縁及び底縁同士を縁部を形成するように縫着すると共に、横方向に間隔を存して縦方向に２箇所で縫着することで、横方向に並設された縦方向に延びる３つの収納部１２が面部１０の裏面とメッシュとの間に形成されている。収納部１２の上方の開口は当該開口に面部１０側から重なるように形成されたポケット蓋で覆われており、保冷パックが不意に飛び出るようなことがないようにしている。
【００１８】
各収納部１２には、吸水性ポリマーを主剤とする保冷剤が充填されたパック１３が出し入れ可能に収容される。保冷パックを水中に含浸させると、内部の吸水性ポリマーが膨張して、水分を多量に含んだ状態に変姿するようになっている。使用時には、水を吸水して膨張した吸水性ポリマーが保冷剤として機能する。図６に示すように、後頭部冷却具の装着時に、冷却具本体１が装着者の後頭部のカーブに沿って湾曲することができるので、吸水ポリマーを含む保冷パックがごつごつした感じに膨らんだとしても、装着者に違和感なくフィット感を与えることができる。
【００１９】
装着部２は、高さ方向に平行状に延出する２本の帯状片３，３を備え、帯状片３，３の下半部３０は冷却具本体１の面部１１に縫着されており、帯状片３，３の上半部３１，３１は冷却具本体１の上縁１Aから平行状に延出している。帯状片３，３は、冷却具本体１の左右の側縁１C，１Dに平行し、上下縁１A，１Bに直交するように延出している。２本の帯状片３，３の長さ、上半部３１，３１の長さ、下半部３０，３０の長さは同一である。
【００２０】
２本の帯状片３，３の上半部３１，３１の上端部同士は横片４によって連結されており、２本の帯状片３，３の上半部３１，３１が一体化されている。２本の帯状片３，３の面部には、上半部３１，３１、下半部３０，３０に亘って面ファスナー（図示せず）が形成されており、帯状片３，３を折り返した時に、対向面同士は面ファスナーによって着脱可能となっている。面ファスナーとしては、マジックテープ（登録商標）が例示される。また、面ファスナーに代えて帯状片３，３に着脱自在な粘着層を設けて、粘着層によって着脱可能に接着してもよい。または、その他着脱自在な係合手段、嵌合手段を設けてもよい。
【００２１】
装着部２において、帯状片３，３のそれぞれの片は、これらを連結する横片４によって一体化されており、各帯状片３，３の姿態・動きがこれらを連結する横片４によって互いに拘束されており、いずれかの帯状片３を折り曲げたり、折り曲げ状態から伸ばしたりする時には、他の帯状片３も横片４を介して追従して動く。したがって、２本の帯状片３，３の折り返し（取り付け時）、折り返し状態からの伸ばし（取り外し時）をワンタッチで行なうことができる。また、装着状態においては、１つの帯状片３がずれようとしても、他の帯状片３によって移動が拘束されるので、ずれ難いという効果もある。
【００２２】
折り返した帯状片３，３の上半部３１，３１を下半部３０，３０に面ファスナーで取付ける際に、帯状片３，３を折り返した状態での横片４の延出方向を目印として、折り返された帯状片３，３をなるべく均一にバランスよく装着（係着）することができる。例えば、折り返された時に横片４の延出方向が帯状片３，３の長さ方向（延出方向）に直交するように折り返すことで、帯状片３，３をなるべく均一にバランスよく装着することができる。また、折り返した時に横片４の延出方向が冷却具本体１の上縁１A、下縁１Bと平行となるように、あるいは、側縁１C,1Dと直交するように折り返して面ファスナーで装着することでして、均一にバランスよく冷却具を装着することができる。
【産業上の利用可能性】
【００２３】
本発明は、ヘルメット等に装着して用いられる後頭部冷却具として利用することができる。
【符号の説明】
【００２４】
１  冷却具本体
２  装着部
３  帯状片
４  横片
【図１】
2010261121.tif 000003
【図２】
2010261121.tif 000004
【図３】
2010261121.tif 000005
【図４】
2010261121.tif 000006
【図５】
2010261121.tif 000007
【図６】
2010261121.tif 000008